(57)【要約】【課題】漏水しにくく信頼性の高い建物の防水構造を提供することを目的とする。【解決手段】建物の屋外側に面材１，１を隣接して取り付け、該面材の対向する端縁部間に止水材３と目地カバー材４とを設けた建物の防水構造であって、隣接する面材の端縁部の根元に端縁部間の間隔を狭めるくびれ部５を形成し、目地カバー材４は、弾性材で形成され、止水材３を押圧して外側から覆うと共に前記くびれ部５間に弾性力をきかせて嵌着されることを特徴とする。【選択図】  図１
2005023590.tif 000002
【特許請求の範囲】
【請求項１】
建物の屋外側に面材を隣接して取り付け、該面材の対向する端縁部間に止水材と目地カバー材とを設けた建物の防水構造であって、
隣接する面材の端縁部は、共に屋外側に向けて突出するように折り曲げられ、突出する両端縁部の根元を先端側より膨出させ両端縁部の根元に端縁部間の間隔を狭めるくびれ部を形成し、止水材は面材の端縁部間を閉塞するように取着され、目地カバー材は、弾性材で形成され、止水材を押圧して外側から覆うと共に前記くびれ部間に弾性力をきかせて嵌着されることを特徴とする建物の防水構造。
【請求項２】
前記面材の端縁部間には、該端縁部の長手方向に沿ってアンカークリップが挿入され、このアンカークリップは、面材の両端縁部を係止して面材裏面の下地材に圧着可能になされていることを特徴とする請求項１記載の建物の防水構造。
【請求項３】
前記目地カバー材を外側から挟み込むようにして取付金具が取着され、該取付金具により面材の上に設ける付帯物を取り付けてなることを特徴とする請求項１または２記載の建物の防水構造。
【請求項４】
建物の屋外側に面材を隣接して取り付け、該面材の対向する端縁部を屋外側に向けて突出させ、この突出する端縁部間に断面略逆Ｕ字形状の止水材を被せた建物の防水構造であって、
面材は、略平坦な面と折れ曲がった面を備え、突出する端縁部はこの折れ曲がった面にも連続して設けられ、止水材は、折れ曲がった面の突出する端縁部にも被せることができるように、折り曲げ加工された連続する単一の部材で形成されていることを特徴とする建物の防水構造。
【請求項５】
前記止水材は、折り曲げ後の形状を維持可能な芯金入りの軟質弾性材で形成されていることを特徴とする請求項４記載の建物の防水構造。
【請求項６】
建物の隣接する部材間に止水材を設けた建物の防水構造であって、
止水材は、中空部を有し、該中空部を押し潰すように変形して部材間に取着し、部材間を水密にすることを特徴とする建物の防水構造。
【請求項７】
前記隣接する部材は、建物の屋外側に設けた面材であり、該面材の端縁部間に前記止水材と目地カバー材とを設け、目地カバー材は、止水材を外側から覆い隣接する面材端縁部間に嵌め込まれていることを特徴とする請求項６記載の建物の防水構造。
【請求項８】
前記隣接する部材の一方は屋根材の軒先部であり、他方は軒樋の屋内側立上げ壁に設けた耳部であることを特徴とする請求項６記載の建物の防水構造。
【請求項９】
前記隣接する部材の一方は笠木であり、他方は笠木を取り付けるバルコニー壁またはパラペットであることを特徴とする請求項６記載の建物の防水構造。
【発明の詳細な説明】
【０００１】
【発明の属する技術分野】
本発明は、建物の外部目地部の防水構造に関する。
【０００２】
【従来の技術】
一般に、屋根、バルコニー床、外壁、開口廻り等の建物の外部目地部には、止水材を設け、防水構造になされている。
特許文献１に記載の止水材は、屋根板を連結係合するジョイナー内に配設したもので、弾性材料で逆Ｕ字状に止水材本体を形成し、該止水材本体の内側対向位置に１乃至複数のひれ状止水弁を形成して成るものである。
上記したような止水材によると、止水弁が屋根板材を挟圧するようにして隙間をなくし、水の浸入を防止する。
【０００３】
【特許文献１】
特許第２５１９６６０号公報
【０００４】
【発明が解決しようとする課題】
しかしながら、特許文献１に記載の止水材は、ひれ状止水弁が経年劣化すると弾性力の低下によって止水弁が開き、漏水しやすいという問題があった。
【０００５】
そこで、本発明の目的は、上記の問題点を解消し、漏水しにくく信頼性の高い建物の防水構造を提供することを目的とする。
【０００６】
【課題を解決するための手段】
（請求項１〜３記載の発明）
請求項１記載の発明は、建物の屋外側に面材を隣接して取り付け、該面材の対向する端縁部間に止水材と目地カバー材とを設けた建物の防水構造であって、
隣接する面材の端縁部は、共に屋外側に向けて突出するように折り曲げられ、突出する両端縁部の根元を先端側より膨出させ両端縁部の根元に端縁部間の間隔を狭めるくびれ部を形成し、止水材は面材の端縁部間を閉塞するように取着され、目地カバー材は、弾性材で形成され、止水材を押圧して外側から覆うと共に前記くびれ部間に弾性力をきかせて嵌着されることを特徴とする。
【０００７】
請求項２記載の発明は、請求項１記載の建物の防水構造において、前記面材の端縁部間には、該端縁部の長手方向に沿ってアンカークリップが挿入され、このアンカークリップは、面材の両端縁部を係止して面材裏面の下地材に圧着可能になされていることを特徴とする。
【０００８】
請求項３記載の発明は、請求項１または２記載の建物の防水構造において、前記目地カバー材を外側から挟み込むようにして取付金具が取着され、該取付金具により面材の上に設ける付帯物を取り付けてなることを特徴とする。
【０００９】
（請求項１〜３記載の発明の作用）
このように構成された請求項１記載の建物の防水構造によると、止水材は、面材の端縁部間を閉塞するように取着され、目地カバー材は、弾性材で形成され、止水材を押圧して外側から覆うと共に前記くびれ部間に弾性力をきかせて嵌着される。その結果、止水材が面材の端縁部に密着されるので、漏水しにくく信頼性の高い防水構造となる。そして、防水施工作業が容易である。
この際、従来技術のように、経年劣化によってひれ状止水材の目開き等がなく、耐久性にすぐれる。
【００１０】
請求項２記載の建物の防水構造耐火壁パネルによると、さらに、前記面材の端縁部間には、該端縁部の長手方向に沿ってアンカークリップが挿入され、このアンカークリップは、面材の両端縁部を係止して面材裏面の下地材に圧着可能になされているので、面材仮敷設後、アンカークリップをビス等を用いて下地材に固着すれば、面材を下地材に本固定できる。
この際、アンカークリップの固着用ビスは、目地カバーと止水材によって覆われているので、ビス孔からの漏水はない。
【００１１】
請求項３記載の建物の防水構造によると、さらに、前記目地カバー材を外側から挟み込むようにして取付金具が取着され、該取付金具により面材の上に設ける付帯物を取り付けてなるので、防水構造を確保したまま付帯物を容易に取り付けできる。
【００１２】
（請求項４，５記載の発明）
請求項４記載の発明は、建物の屋外側に面材を隣接して取り付け、該面材の対向する端縁部を屋外側に向けて突出させ、この突出する端縁部間に断面略逆Ｕ字形状の止水材を被せた建物の防水構造であって、
面材は、平坦な面と折れ曲がった面を備え、突出する端縁部はこの折れ曲がった面にも連続して設けられ、止水材は、折れ曲がった面の突出する端縁部にも被せることができるように、折り曲げ加工された連続する単一の部材で形成されていることを特徴とする。
【００１３】
請求項５記載の発明は、請求項４記載の建物の防水構造において、前記止水材は、折り曲げ後形状を維持可能な芯金入りの軟質弾性材で形成されていることを特徴とする。
【００１４】
（請求項４，５記載の発明の作用）
このように構成された請求項４記載の建物の防水構造によると、止水材は、折れ曲がった面の突出する端縁部にも被せることができるように、折り曲げ加工された連続する単一の部材で形成されているので、止水材の折り曲げ部に継ぎ目がない。このため、漏水しにくく信頼性の高い防水構造となる。
【００１５】
請求項５記載の建物の防水構造によると、さらに、前記止水材は、折り曲げ後形状を維持可能な芯金入りの軟質弾性材で形成されているので、継ぎ目のない折り曲げ加工が容易である。
【００１６】
（請求項６〜９記載の発明）
請求項６記載の発明は、建物の隣接する部材間に止水材を設けた建物の防水構造であって、
止水材は、中空部を有し、該中空部を押し潰すように変形して部材間に取着し、部材間を水密にすることを特徴とする。
【００１７】
請求項７記載の発明は、請求項６記載の建物の防水構造において、前記隣接する部材は、建物の屋外側に設けた面材であり、該面材の端縁部間に前記止水材と目地カバー材とを設け、目地カバー材は、止水材を外側から覆い隣接する面材端縁部間に嵌め込まれていることを特徴とする。
【００１８】
請求項８記載の発明は、請求項６記載の建物の防水構造において、前記隣接する部材の一方は屋根材の軒先部であり、他方は軒樋の屋内側立上げ壁に設けた耳部であることを特徴とする。
【００１９】
請求項９記載の発明は、請求項６記載の建物の防水構造において、前記隣接する部材の一方は笠木であり、他方は笠木を取り付けるバルコニー壁またはパラペットであることを特徴とする。
【００２０】
（請求項６〜９記載の発明の作用）
このように構成された請求項６記載の建物の防水構造によると、止水材は、中空部を有し、該中空部を押し潰すように変形して部材間に取着し、部材間を水密にするので、漏水しにくく信頼性の高い防水構造となる。
この止水材は、部材間に段差の有る納まりであっても、同一部材で対応でき、また、施工誤差等によって部材間に段差が生じても吸収できる。
【００２１】
請求項７記載の建物の防水構造によると、さらに、面材間の端縁部に前記止水材と目地カバー材とを設け、目地カバー材は、止水材を外側から覆い隣接する面材端縁部間に嵌め込まれているので、止水材が直接外気にさらされることはない。このため、止水材の直射日光等による劣化を防止し、耐久性がよい。
【００２２】
請求項８記載の建物の防水構造によると、さらに、前記隣接する部材の一方は屋根材の軒先部であり、他方は軒樋の屋内側立上げ壁に設けた耳部であるから、屋根材の軒先部から外壁に伝わる漏水を防止する。このため、漏水による外壁の汚れがなくなる。
【００２３】
請求項９記載の建物の防水構造によると、さらに、前記隣接する部材の一方は笠木であり、他方は笠木を取り付けるバルコニー壁またはパラペットであるから、笠木の裏面側からバルコニー壁またはパラペットの内側を通って屋根材裏面への漏水を防止する。
【００２４】
【発明の実施の形態】
以下、本発明の実施の形態について図面を参照しながら詳細に説明する。
【００２５】
（実施の形態１）
図１〜図６は、本発明の実施の形態１であって、図１（ａ）は屋根の防水構造を示す斜視図、（ｂ）は（ａ）のＡ−Ａ線における断面図である。図２（ａ）は屋根面材の斜視図、（ｂ）は断面図である。図３は目地カバー材の斜視図である。図４は止水材の斜視図である。図５はアンカークリップの斜視図である。図６は取付金具の分解斜視図である。
【００２６】
実施の形態１は、建物上面の屋外側に屋根面材１，１，１，・・・を隣接して取り付け、この屋根面材１の対向する端縁部間に止水材３と目地カバー材４とを設けた建物の防水構造である。
隣接する屋根面材１，１の端縁部は、図１（ロ）に示すように、共に屋外側に向けて突出するように折り曲げられ、突出する両端縁部の根元を先端側より膨出させ両端縁部の根元に端縁部間の間隔を狭めるくびれ部５を形成している。
【００２７】
図２を参照して更に詳細に説明すると、屋根面材１は、ステンレス鋼板や塩化ビニル樹脂被覆鋼板等の金属板（板厚０．３〜０．６ｍｍ）で形成されており、平坦な屋根本体１１と、屋根本体１１の両側端縁部を直角に折り曲げた折り曲げ部１２と、この折り曲げ部１２の先端を内側に向けて折り曲げた折り曲げ部１３と、この折り曲げ部１３の先端をさらに略上方に折り曲げた折り曲げ部１４とから形成される。
上記屋根面材１は、端縁部間の幅が３００〜４５０ｍｍになされ、折り曲げ部１２から折り曲げ部１４の上端までの高さ寸法は２０〜３０ｍｍになされている。
【００２８】
止水材３は、図１（ロ）に示すように、屋根面材１，１の端縁部間を閉塞するように取着される。
この止水材３は、ＥＰＤＭ（エチレン−プロピレン  ターポリマー）発泡体、ブチル系ゴム、変成シリコーン等で形成されている。
止水材３は、図４に示すように、長尺かまばこ形の本体３１と、本体３１の底部両側に垂設された一対の脚部３２，３２とからなり、脚部３２，３２は、屋根面材１の折り曲げ部１４の外側に嵌着される。
【００２９】
目地カバー材４は、弾性材であるステンレス鋼板や塩化ビニル樹脂被覆鋼板等の金属板（板厚０．３〜０．６ｍｍ）で形成され、図３に示すように、下方が開放された長尺略円筒形の本体４１と、本体４１の下端部を外側に折り曲げた折り曲げ部４２とからなる。
上記目地カバー材４は、図１（ロ）に示すように、止水材３を押圧して外側から覆うと共に、上記折り曲げ部４２，４２が前記くびれ部５，５間に弾性力をきかせて嵌着されている。
【００３０】
本実施の形態１の建物の防水構造において、前記屋根面材１，１の端縁部間には、該端縁部の長手方向に沿って通しアンカークリップ６が挿入されている（図１参照）。
この通しアンカークリップ６は、目地カバー材４と同様、ステンレス鋼板や塩化ビニル樹脂被覆鋼板等の金属板で形成され、図５に示すように、上方を開口した断面略コ字形の本体６１と、本体６１の両側の先端を略くの字形に折り曲げた折り曲げ部６２，６２とからなる。
通しアンカークリップ６は、上記折り曲げ部６２，６２を屋根面材１，１の両端縁部に形成された折り曲げ部１３，１３に係止し、本体６１のビス孔６３にビス７を挿入し、このビス７を屋根面材１裏面に設けた下地材２にねじ込み、圧着されている。
【００３１】
また、本実施の形態１の建物の防水構造においては、前記目地カバー材４を外側から挟み込むようにして取付金具８が取着されている。この取付金具８により屋根面材１の上に設ける付帯物（不図示）が取り付けられる。
付帯物の例としては、太陽電池モジュールを組み込んだソーラーパネル、バルコニー手すり、空調機器の室外機、給湯機等を挙げることができる。
上記取付金具８は、図６に示すように、断面コ字形の一対の金具本体８１，８１と、金具本体８１上部の対向する折り曲げ片８２，８２に取り付けられる２本ボルト８３と２個のナット８４とからなる。
この取付金具８は、付帯物を取り付けるときに必要な個数を取り付ける。例えば、ソーラーパネルの場合、パネル１枚に付き４個の取付金具８を取り付ける。
【００３２】
（本実施の形態１の作用）
このように構成された本実施の形態１の建物の防水構造によると、止水材３は、屋根面材１，１の端縁部間を閉塞するように取着され、目地カバー材４は、弾性材で形成され、止水材３を押圧して外側から覆うと共に前記くびれ部５，５間に弾性力をきかせて嵌着される。その結果、止水材３が屋根面材１，１の端縁部に密着されるので、漏水しにくく信頼性の高い防水構造となる。
そして、目地カバー材４をくびれ部５，５に嵌め込むだけで止水材３が水密にされるので、防水施工作業が容易であり、特殊技能なしに高い施工信頼性が得られる。
この際、従来技術のように、経年劣化によってひれ状止水材の目開き等がなく、耐久性にすぐれる。
【００３３】
さらに、前記屋根面材１，１の端縁部間には、該端縁部の長手方向に沿って通しアンカークリップ６が挿入され、この通しアンカークリップ６は、屋根面材１，１の両端縁部を係止して、ビス７により下地材２に圧着される。
従って、屋根面材１，１の仮敷設して位置調整しておき、その後、通しアンカークリップ６を固着すれば、屋根面材１を下地材２に本固定でき、施工工数を少なくできる。
この際、通しアンカークリップ６の固着用ビス７は、目地カバー材４と止水材３によって覆われているので、ビス孔６３からの漏水はない。
【００３４】
さらにまた、前記目地カバー材４を外側から挟み込むようにして取付金具８が取着され、該取付金具８により屋根面材１の上に設ける付帯物を取り付けるようにするので、防水構造を確保したまま付帯物を容易に取り付けできる。また、付帯物の後付けも容易にできる。
【００３５】
（実施の形態１の変形例）
図７〜図９は、実施の形態１の変形例であり屋根の防水構造の断面図である。
（変形例１）
図７に示す変形例１では、屋根面材１のくびれ部５の形状、止水材３の形状、目地カバー材４の形状、アンカークリップ６の形状等が前記図１のものと若干異なっているが、本質的には類似している。
図７に示す屋根面材１は、平坦な屋根本体１１と、屋根本体１１の両側端縁部を直角に折り曲げた折り曲げ部１２と、この折り曲げ部１２の先端に内側に膨出するように折り曲げた半円弧状の折り曲げ部１３とから形成されている。
止水材３は、厚肉のシート状であって、目地カバー材４の裏面に有るが、目地カバー材４と一体、別体のいずれでもよい。
目地カバー材４の形状とアンカークリップ６の形状は、上記屋根面材１の半円弧状の折り曲げ部１３の形状と符合するようになされているが、本質的には図１のものと変わらない。
【００３６】
（変形例２）
図８に示す変形例２では、屋根面材１は、平坦な屋根本体１１と、屋根本体１１の両側端縁部を直角に折り曲げた折り曲げ部１２と、この折り曲げ部１２の先端に内側に略Ｕ字形に膨出するように折り曲げた折り曲げ部１３と、このＵ字形の折り曲げ部１３から上方に向けて直角に折り曲げられた折り曲げ部１４とから形成されている。
止水材３は、下方を開口した厚肉の断面略Ｃ字形で、両側の先端内側はひれ状になされ、屋根面材１の折り曲げ部１４の内側に当接される。
目地カバー材４は、下方を開口した断面略Ｃ字形で、開口端部が屋根面材１のＵ字形の折り曲げ部１３に係止される。
アンカークリップ６は、前記した実施の形態１やその変形例１のものと異なり、上方が開口した断面略コ字形で、両側の先端部を鍵形に外側に折り曲げ、この鍵形の先端部を屋根面材１の折り曲げ部１４先端に引っ掛けるようにして係止する。
【００３７】
（変形例３）
図９に示す変形例３では、止水材３以外は図１に示した実施の形態１のものと略同じ形状になされている。
図９の止水材３は、下方を開口した厚肉の断面略Ｃ字形で、両側の先端内側はひれ状になされ、屋根面材１の折り曲げ部１４の内側に当接される。
【００３８】
なお、図７〜図９に示した上記の変形例１〜３は、実施の形態１と本質的に同じ構成であり、実施の形態１と同じ作用を奏するので、その説明は省略する。
【００３９】
（実施の形態２）
図１０は、本発明の実施の形態２であって、（ａ）は屋根の防水構造を分解して示す斜視図であり、（ｂ）は屋根の防水構造の平面図である。
【００４０】
実施の形態２は、屋根面材１，１を隣接して取り付け、該屋根面材１，１の対向する端縁部１２を屋外側に向けて突出させ、この突出する端縁部１２，１２間に断面略逆Ｕ字形状の止水材３を被せた屋根の防水構造である。
屋根面材１は、平坦な面１１と略直角に折れ曲がった面１１Ａを備え、突出する端縁部１２Ａはこの折れ曲がった面１１Ａにも連続して設けられている。
止水材３は、真っ直ぐな部分３１と折れ曲がった部分３１Ａとからなり、折れ曲がった面１１Ａの突出する端縁部１２Ａにも被せることができるようになっている。
上記止水材３は、コーナー部が折り曲げ加工された連続する単一の部材で形成されている。
【００４１】
（本実施の形態２の作用）
このように構成された実施の形態２の屋根の防水構造によると、止水材３は、折れ曲がった面１１Ａの突出する端縁部１２Ａにも被せることができるように、折り曲げ加工された連続する単一の部材で形成されているので、止水材３の折り曲げ部に継ぎ目がない。このため、漏水しにくく信頼性の高い防水構造となる。
【００４２】
（実施の形態２の変形例）
実施の形態２の変形例を、図１１〜図１３に示す。
【００４３】
（変形例４）
図１１は、実施の形態２の変形例４であり、（ａ）は屋根の防水構造の斜視図、（ｂ）は止水材の側面図、（ｃ）は芯金の平面図である。
【００４４】
変形例４の屋根面材１は、実施の形態２と同様、平坦な面１１と略直角に折れ曲がった面１１Ａを備えているが、面１１と面１１Ａは比較的ゆるやかな曲面で連なっており、突出する端縁部１２Ａはこの折れ曲がった面１１Ａにも連続して設けられている。
止水材３は、真っ直ぐな部分３１と折れ曲がった部分３１Ａとからなり、折れ曲がった面１１Ａの突出する端縁部１２Ａにも被せることができるようになっている。
【００４５】
上記止水材３は、コーナー部が折り曲げ加工された連続する単一の部材で形成されているが、変形例４では、図１１（ｂ）に示すように、折り曲げ後形状を維持可能な芯金３３入りの軟質弾性材で形成されている。
芯金３３は、フィッシュボン状、井桁状（図１１（ｃ）参照）、ラスタイプ等に組まれている。
【００４６】
上記変形例４によると、さらに、止水材３が、折り曲げ後形状を維持可能な芯金３３入りの軟質弾性材で形成されているので、継ぎ目のない折り曲げ加工が容易である。
【００４７】
（変形例５）
図１２は、実施の形態２の変形例５であり、（ａ）は屋根の軒先部を分解して示す斜視図、（ｂ）は屋根の軒先部を止水材と共に示す斜視図、（ｃ）は止水材の側面図である。
【００４８】
変形例５は、屋根面材１，１を隣接して取り付け、この屋根面材１，１の対向する端縁部１２を折り曲げて上方に向けて突出させ、この突出する端縁部１２，１２間に断面略逆Ｕ字形状の止水材３を被せた屋根の防水構造でる。
上記屋根面材１の軒先部では、略平坦な面１１と折れ曲がった垂直な面１１Ａ（庇材）を備えており、突出する端縁部１２Ａはこの折れ曲がった垂直な面１１Ａにも連続して設けられている。
止水材３は、折れ曲がった垂直な面１１Ａの突出する端縁部１２Ａにも被せることができるように、折り曲げ加工された連続する単一の部材で形成されている。
【００４９】
上記屋根面材１の軒先側の端部１１１は、図１２（ａ）に示すように、所定の幅で下側に折り曲げられる。この際、突出する端縁部１２Ａは、一角部に丸みを付けた略正方形の板材で形成され、上記一角部に隣接する他の角部に切り込みを入れ、これを折り曲げて折り曲げ片１２１を形成しておき、この折り曲げ片１２１を前記屋根面材１の軒先側の端部１１１に挟み込むようにして取り付ける（図１２（ｂ）参照）。
また、屋根面材１の軒先側の端部１１１は、折り曲げられて垂直な面１１Ａ（庇材）の上端縁部に挟み込まれる。
【００５０】
このように構成された変形例５の屋根の防水構造によると、止水材３は、折れ曲がった面１１Ａ（庇材）の突出する端縁部１２Ａにも被せることができるように、折り曲げ加工された連続する単一の部材で形成されているので、止水材３の折り曲げ部に継ぎ目がない。このため、漏水しにくく信頼性の高い防水構造となる。
【００５１】
（変形例６）
図１３は実施の形態２の変形例６であり、（ａ）は止水材と共に示す曲面外壁面材の斜視図、（ｂ）は外壁の防水構造の要部を示す斜視図である。
【００５２】
変形例６は、建物の屋外側に曲面外壁面材１，１を上下方向に隣接して取り付け、該面材１，１の対向する端縁部１２を屋外側に向けて突出させ、この突出する端縁部１２，１２間に断面略逆Ｕ字形状の止水材３を被せた建物の防水構造である。
上記曲面外壁面材１は、山部と谷部とが交互に連続するもので、一方の面１１とこの一方の面１１に対して適宜のアール（Ｒ）を設けて折れ曲がった他方の面１１Ａを備え、建物のコーナー部に設けられる。
上記曲面外壁面材１の一方の面１１の突出する端縁部１２は、この折れ曲がった他方の面１１Ａの突出する端縁部１２Ａと連続するように設けられ、止水材３は、折れ曲がった他方の面１１Ａの突出する端縁部１２Ａにも被せることができるように、折り曲げ加工された連続する単一の部材で形成されている。
【００５３】
このように構成された変形例６の建物の防水構造によると、止水材３は、折れ曲がった他方の面１１Ａの突出する端縁部１２Ａにも被せることができるように、折り曲げ加工された連続する単一の部材で形成されているので、止水材３の折り曲げ部に継ぎ目がない。このため、漏水しにくく信頼性の高い防水構造となる。
【００５４】
（実施の形態３）
図１４は、本発明の実施の形態３であって、（ａ）は止水材を取り付ける前の屋根の断面図、（ｂ）は屋根の防水構造を示す断面図である。
【００５５】
実施の形態３は、建物の隣接する屋根面材１，１間に止水材３を設けた建物の防水構造である。
止水材３は、図１４（ａ）に示すように、断面略四角筒状になされて中空部３０を有し、該中空部３０を押し潰すように変形して屋根面材１，１の端縁部間に取着し、屋根面材１，１の端縁部間を水密にするようにしたものである。
【００５６】
上記建物の防水構造において、屋根面材１は、前記実施の形態１と同様の形状になされており、平坦な屋根本体１１と、屋根本体１１の両側端縁部を直角に折り曲げた折り曲げ部１２と、この折り曲げ部１２の先端を略Ｕ字状に折り曲げた折り曲げ部１３とから形成されている。
屋根面材１，１間の端縁部（目地部）には、前記止水材３と目地カバー材４とを設け、目地カバー材４は、前記中空部３０を押し潰すようにして止水材３を外側から覆うと共に、隣接する屋根面材１，１端縁部間のくびれ部５に嵌め込まれている。
【００５７】
また、前記屋根面材１，１の端縁部間には、前記実施の形態１と同様、該端縁部の長手方向に沿って通しアンカークリップ６が挿入されている（図１４参照）。
この通しアンカークリップ６は、上方を開口した断面略コ字形になされ、両側の先端を略くの字形に折り曲げ、屋根面材１，１の両端縁部に形成されたＵ字状の折り曲げ部１３，１３に係止し、ビス７を使用して屋根面材１裏面に設けた下地材２にねじ込み、圧着されている。
【００５８】
（本実施の形態３の作用）
このように構成された本実施の形態３の建物の防水構造によると、止水材３は、中空部３０を有し、該中空部３０を押し潰すように変形して屋根面材１，１間に取着し、屋根面材１，１間を水密にするので、漏水しにくく信頼性の高い防水構造となる。
この止水材３は、屋根面材１，１間に段差の有る納まりであっても、同一部材で対応でき、また、施工誤差等によって屋根面材１，１間に段差が生じても吸収できる。
【００５９】
さらに、上記屋根面材１，１間の端縁部に前記止水材３と目地カバー材４とを設け、この目地カバー材４は、止水材３を外側から覆い隣接する屋根面材１，１の端縁部間に嵌め込まれているので、止水材３が直接外気にさらされることはない。このため、止水材３の直射日光等による劣化を防止し、耐久性がよい。
【００６０】
（実施の形態４）
図１５は、本発明の実施の形態４であって、（ａ）は屋根面材を取り付ける前の軒先部の斜視図、（ｂ）は軒先部の防水構造を示す断面図である。
【００６１】
本実施の形態４の建物の防水構造は、隣接する屋根面材１の突出する軒先部と軒樋９の耳部９４との間に、中空部３０を有する止水材３を取着し、該中空部３０を押し潰すように変形して屋根面材１の軒先部と軒樋９の耳部９４との間を水密にするようにしたものである。
前記実施の形態３では、隣接する部材は屋根面材１，１であったが、本実施の形態４においては、隣接する部材の一方は屋根面材１の軒先部であり、他方は軒樋９の屋内側立上げ壁９３に設けた耳部９４である。
【００６２】
上記軒樋９は、底壁９１と、底壁９１の屋外側に立設された屋外側立上げ壁９２と、底壁９１の屋内側に立設された屋内側立上げ壁９３と、屋内側立上げ壁９３の先端を内側に折り曲げて形成した耳部９４とからなっている。
上記止水材３は、図１５（ａ）に示すように、略四角筒状で中空部３０を備えた止水材本体３１と、止水材本体３１の下方に段違いに設けられた挟持体３４とからなる。挟持体３４は、一方が開口された断面略Ｃ字形になされ、その内面にはひれ状の突起片が設けられ、耳部９４を挟持するようになっている。
【００６３】
本実施の形態４の建物の防水構造によると、さらに、前記隣接する部材の一方は屋根面材１の軒先部であり、他方は軒樋９の屋内側立上げ壁９３に設けた耳部９４であるから、屋根面材１の軒先部裏面を通って外壁側に伝わる漏水を防止する。このため、漏水による外壁の汚れがなくなる。
【００６４】
（実施の形態５）
図１６は、本発明の実施の形態５であって、（ａ）は笠木部を分解して示す断面図、（ｂ）は笠木部の防水構造を示す断面図である。
【００６５】
本実施の形態５の建物の防水構造は、隣接する笠木２０とパラペット１０との間に、中空部３０を有する止水材３を取着し、該中空部３０を押し潰すように変形して笠木２０とパラペット１０との間を水密にするようにしたものである。
前記実施の形態３では、隣接する部材は屋根面材１，１であったが、本実施の形態５においては、隣接する部材の一方は笠木２０であり、他方はパラペット１０である。
【００６６】
上記笠木２０は、図１６に示すように、下方を開放した断面略コ字形になされ、パラペット１０の上端部に嵌着される。
笠木２０の裏面側には、２個の略四角筒状の止水材３，３が下方に向かって突出するように取り付けられている。
【００６７】
本実施の形態５の建物の防水構造によると、隣接する笠木２０とパラペット１０との間に、中空部３０を有する止水材３を取着し、該中空部３０を押し潰すように変形して笠木２０とパラペット１０との間を水密にするようにしたので、笠木２０の裏面側からパラペット１０の内側を通って屋根面材１裏面への漏水を防止する。この際、笠木２０を取着するパラペット１０の上端部に多少の段差があっても、水密性を損なわずに吸収できる。
【００６８】
以上、本発明の実施の形態を図面に基づいて説明したが、本発明は、この実施の形態に限られるものではなく、本発明の要旨を変更しない範囲の設計変更があっても本発明に含まれる。
例えば、実施の形態１において、隣接する面材は屋根面材１，１であったが、外壁、バルコニー床、開口廻り等の建物外部目地部であってもよい。
【００６９】
【発明の効果】
このように構成された請求項１記載の建物の防水構造によると、目地カバー材が、止水材を外側から覆うと共に面材のくびれ部間に弾性力をきかせて嵌着されるので、止水材が面材の端縁部に押圧され、漏水しにくく信頼性の高い防水構造となるとともに、防水施工作業も容易となる。
この際、従来技術のように、経年劣化によってひれ状止水材の目開き等がなく、耐久性にすぐれる。
【００７０】
請求項２記載の建物の防水構造によると、さらに、アンカークリップも目地カバーと止水材によって覆われるので、アンカークリップのビス孔からの漏水はない。
【００７１】
請求項３記載の建物の防水構造によると、さらに、前記目地カバー材を外側から挟み込むようにして取付金具が取着され、該取付金具により面材の上に設ける付帯物を取り付けてなるので、防水構造を確保したまま付帯物を容易に取り付けできる。
【００７２】
このように構成された請求項４記載の建物の防水構造によると、止水材の折り曲げ部に継ぎ目がないため、漏水しにくく信頼性の高い防水構造となる。
【００７３】
請求項５記載の建物の防水構造によると、さらに、前記止水材は、折り曲げ後形状を維持可能な芯金入りの軟質弾性材で形成されているので、継ぎ目のない折り曲げ加工が容易である。
【００７４】
このように構成された請求項６記載の建物の防水構造によると、止水材の中空部を押し潰すように変形して部材間に取着し、部材間を水密にするので、漏水しにくく信頼性の高い防水構造となる。
この止水材は、部材間に段差の有る納まりであっても、同一部材で対応でき、また、施工誤差等によって部材間に段差が生じても吸収できる。
【００７５】
請求項７記載の建物の防水構造によると、さらに、止水材が直接外気にさらされることはないため、止水材の直射日光等による劣化を防止し、耐久性がよい。
【００７６】
請求項８記載の建物の防水構造によると、さらに、屋根材の軒先部から外壁に伝わる漏水を防止するため、漏水による外壁の汚れがなくなる。
【００７７】
請求項９記載の建物の防水構造によると、さらに、笠木の裏面側からバルコニー壁またはパラペットの内側を通って屋根材裏面への漏水を防止する。
【図面の簡単な説明】
【図１】本発明の実施の形態１であって、（イ）は屋根の防水構造を示す斜視図、（ロ）は（イ）のＡ−Ａ線における断面図である。
【図２】（イ）は屋根面材の斜視図、（ロ）は断面図である。
【図３】目地カバー材の斜視図である。
【図４】止水材の斜視図である。
【図５】アンカークリップの斜視図である。
【図６】取付金具の分解斜視図である。
【図７】実施の形態１の変形例１であり屋根の防水構造の断面図である。
【図８】実施の形態１の変形例２であり屋根の防水構造の断面図である。
【図９】実施の形態１の変形例３であり屋根の防水構造の断面図である。
【図１０】本発明の実施の形態２であって、（ａ）は屋根の防水構造を分解して示す斜視図であり、（ｂ）は屋根の防水構造の平面図である。
【図１１】実施の形態２の変形例４であり、（ａ）は屋根の防水構造の斜視図、（ｂ）は止水材の側面図、（ｃ）は芯金の平面図である。
【図１２】実施の形態２の変形例５であり、（ａ）は屋根の軒先部を分解して示す斜視図、（ｂ）は屋根の軒先部を止水材と共に示す斜視図、（ｃ）は止水材の側面図である。
【図１３】実施の形態２の変形例６であり、（ａ）は止水材と共に示す曲面外壁面材の斜視図、（ｂ）は外壁の防水構造の要部を示す斜視図である。
【図１４】本発明の実施の形態３であって、（ａ）は止水材を取り付ける前の屋根の断面図、（ｂ）は屋根の防水構造を示す断面図である。
【図１５】本発明の実施の形態４であって、（ａ）は屋根面材を取り付ける前の軒先部の斜視図、（ｂ）は軒先部の防水構造を示す断面図である。
【図１６】本発明の実施の形態５であって、（ａ）は笠木部を分解して示す断面図、（ｂ）は笠木部の防水構造を示す断面図である。
【符号の説明】
１      面材（屋根面材）
２      下地材
３      止水材
４      目地カバー材
５      くびれ部
６      アンカークリップ
８      取付金具
９      樋
１０    パラペット
２０    笠木
【図１】
2005023590.tif 000003
【図２】
2005023590.tif 000004
【図３】
2005023590.tif 000005
【図４】
2005023590.tif 000006
【図５】
2005023590.tif 000007
【図６】
2005023590.tif 000008
【図７】
2005023590.tif 000009
【図８】
2005023590.tif 000010
【図９】
2005023590.tif 000011
【図１０】
2005023590.tif 000012
【図１１】
2005023590.tif 000013
【図１２】
2005023590.tif 000014
【図１３】
2005023590.tif 000015
【図１４】
2005023590.tif 000016
【図１５】
2005023590.tif 000017
【図１６】
2005023590.tif 000018